(57)【要約】【課題】  遊技機筐体から前扉側へのハーネスを排除し、組み立て工程を簡略化するとともに、ハーネスの前扉と筐体間での挟み込みをなくすことを目的とする。【解決手段】  筐体１２０と、前記筐体の前面に設けられた扉１３０と、前記筐体に設けられた一次コイルＬ１と、前記一次コイルに電力を供給する交流電源と、前記扉に設けられた二次コイルＬ２と、前記扉に設けられ前記二次コイルに接続された負荷１０とを備える。前記一次コイル及び前記二次コイルは前記扉のヒンジＨ側に設けられ、前記扉を閉じた状態で前記一次コイル及び前記二次コイルは互いに近接し、かつ、対向するように配置されている。【選択図】        図３
2006223656.tif 000002
【特許請求の範囲】
【請求項１】
筐体と、前記筐体の前面に設けられた扉と、前記筐体に設けられた一次コイルと、前記一次コイルに電力を供給する交流電源と、前記扉に設けられた二次コイルと、前記扉に設けられ前記二次コイルに接続された負荷とを備え、前記一次コイル及び前記二次コイルは前記扉の回転中心側に設けられ、前記扉を閉じた状態で前記一次コイル及び前記二次コイルは互いに近接し、かつ、対向するように配置されていることを特徴とする遊技機。
【請求項２】
筐体と、前記筐体の前面に設けられた扉と、前記筐体に設けられた一次コイルと、前記一次コイルに電力を供給する交流電源と、前記扉に設けられた二次コイルと、前記扉に設けられ前記二次コイルに接続された負荷とを備え、前記一次コイル及び前記二次コイルは前記扉の回転中心と反対側に設けられ、前記扉を閉じた状態で前記一次コイル及び前記二次コイルは互いに近接するように配置されていることを特徴とする遊技機。
【請求項３】
前記扉を閉じた状態で前記一次コイル及び前記二次コイルは、上面から見てハの字状に配置されていることを特徴とする請求項２記載の遊技機。
【請求項４】
前記扉の動きに伴い前記一次コイル又は前記二次コイルの少なくとも一方の向きを変える機構を備えることを特徴とする請求項２記載の遊技機。
【請求項５】
筐体と、前記筐体の前面に設けられた扉と、前記筐体に設けられた一次コイルと、前記一次コイルに電力を供給する交流電源と、前記扉に設けられた二次コイルと、前記扉に設けられ前記二次コイルに接続された負荷と、前記一次コイルのインピーダンスを監視して前記インピーダンスの変化に応じてエラー信号を出力する検知器とを備え、前記扉を閉じた状態で前記一次コイル及び前記二次コイルは互いに近接するように配置されていることを特徴とする遊技機。
【発明の詳細な説明】
【技術分野】
【０００１】
この発明は、スロットマシン等の遊技機に関し、特に遊技機筐体の前扉への電力供給に関するものである。
【背景技術】
【０００２】
スロットマシン等の遊技機の外形はほぼ直方体をしている。ホールにおいて多数の遊技機が並べられてひとつの島を形成している。通常の遊技操作は遊技機の前面で行えるようになっているが、ホールの係員のみが行う電源のオンオフや設定変更、メダルの供給などは遊技機の前扉を開けて行う。そのため、前扉はヒンジにより開閉可能になっている。
【０００３】
前扉には蛍光管などの照明装置が設けられている。筐体本体から前扉側にハーネスにより電力を供給し、照明装置を点灯させている。
【特許文献１】特開２００４−４９６６７号公報「遊技機」
【発明の開示】
【発明が解決しようとする課題】
【０００４】
前扉への電力供給にハーネス（電線）を用いる場合、次のような問題点がある。
（１）ハーネスの組立工程が増え、コストが増加する。
（２）前扉を閉める際にハーネスを挟み込むおそれがある。
【０００５】
この発明は上記問題点を解決するためになされたもので、遊技機筐体本体から前扉側へのハーネスを排除し、組み立て工程を簡略化するとともに、ハーネスと前扉の筐体間への挟み込みをなくすことを目的とする。
【課題を解決するための手段】
【０００６】
この発明に係る遊技機は、筐体と、前記筐体の前面に設けられた扉と、前記筐体に設けられた一次コイルと、前記一次コイルに電力を供給する交流電源と、前記扉に設けられた二次コイルと、前記扉に設けられ前記二次コイルに接続された負荷とを備え、前記一次コイル及び前記二次コイルは前記扉の回転中心側に設けられ、前記扉を閉じた状態で前記一次コイル及び前記二次コイルは互いに近接し、かつ、対向するように配置されているものである。
【０００７】
この発明に係る遊技機は、筐体と、前記筐体の前面に設けられた扉と、前記筐体に設けられた一次コイルと、前記一次コイルに電力を供給する交流電源と、前記扉に設けられた二次コイルと、前記扉に設けられ前記二次コイルに接続された負荷とを備え、前記一次コイル及び前記二次コイルは前記扉の回転中心と反対側に設けられ、前記扉を閉じた状態で前記一次コイル及び前記二次コイルは互いに近接するように配置されているものである。
【０００８】
例えば、前記扉を閉じた状態で前記一次コイル及び前記二次コイルは、上面から見てハの字状に配置されている。
【０００９】
前記扉の動きに伴い前記一次コイル又は前記二次コイルの少なくとも一方の向きを変える機構を備えるようにしてもよい。
【００１０】
この発明に係る遊技機は、筐体と、前記筐体の前面に設けられた扉と、前記筐体に設けられた一次コイルと、前記一次コイルに電力を供給する交流電源と、前記扉に設けられた二次コイルと、前記扉に設けられ前記二次コイルに接続された負荷と、前記一次コイルのインピーダンスを監視して前記インピーダンスの変化に応じてエラー信号を出力する検知器とを備え、前記扉を閉じた状態で前記一次コイル及び前記二次コイルは互いに近接するように配置されているものである。
【発明の効果】
【００１１】
この発明によれば、一次コイルから二次コイルへ電磁誘導により無接続で電力を送る機構を備えるため、遊技機筐体から前扉側へのハーネスを排除し、組み立て工程を簡略化するとともに、ハーネスの前扉と筐体間での挟み込みをなくすことができる。
【発明を実施するための最良の形態】
【００１２】
発明の実施の形態１．
この発明の実施の形態に係る遊技機（スロットマシン）について図面を参照して説明する。
【００１３】
図１は前扉を閉めた状態を示すスロットマシンの正面図、図２は前扉を１８０度開いた状態を示すスロットマシンの正面図を示す。
【００１４】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下には、メダル投入口１３２から投入され、詰まってしまったメダルをスロットマシン１００外に強制的に排出するためのリジェクトボタン１３３が設けられている。
【００１５】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００１６】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００１７】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００１８】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００１９】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの中央部及び上部には、遊技者側に向かって臨む四角窓状の表示窓１３１が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニット２０３の駆動を開始させる。リールユニット２０３は、ストップスイッチ１４０によりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２０】
図３は発明の実施の形態１に係る遊技機の斜視図であり、下側の前扉１３０を開いた状態を示す。Ｌ１は一次コイル、Ｌ２は二次コイル、１０は蛍光管などの照明装置（負荷）、１１は二次コイルＬ２から負荷１０へ電力を送るためのハーネス（配線）である。図３から判るように一次コイルＬ１及び二次コイルＬ２は前扉１３０のヒンジＨの側（前扉１３０の回転中心側）に設けられている。
【００２１】
発明の実施の形態１に係る遊技機は、筐体１２０から前扉１３０への電力供給に関して無接点電力伝送方式を用いるものである。無接点電力伝送方式は、一次コイルから二次コイルへ電磁誘導により無接続で電力を送るものである。発明の実施の形態１において、一次コイルＬ１をスロットマシン本体１２０に、二次コイルＬ２を前扉１３０に取り付け、一次コイルＬ１から二次コイルＬ２に電力を伝送する。この伝送された電力により、冷陰極管やＬＥＤなどの照明装置１０を点灯させ、パネル照明とする。
【００２２】
発明の実施の形態１に係る無接点電力伝送方式の原理的回路を図４に示す。一次コイルＬ１には交流電源ＰＳが接続されていて、一次コイルＬ１に交流磁界を発生させる。これにより二次コイルＬ２に誘導電流が発生する。これを負荷１０に供給する。
【００２３】
二次コイルＬ２に誘導電流を効率的に発生させるには、一次コイルＬ１で発生する交流磁界の全部が二次コイルＬ１内を通ることが好ましい。そのため、図５に示すように、通常の使用状態つまり前扉１３０を閉じた状態において、一次コイルＬ１と二次コイルＬ２を対向させ、かつ、近接させるようにする。なお、図５は一次コイルＬ１及び二次コイルＬ２の部分を拡大した上面図であるが、見やすくするために一次コイルＬ１及び二次コイルＬ２の部分を点線ではなく実線で表示している。
【００２４】
発明の実施の形態１によれば、無接点電力伝送方式を採用することで、スロットマシン本体から前扉側へのハーネスを排除し、組み立て工程を簡略化するとともに、ハーネスの前扉とスロットマシン本体間での挟み込みをなくすことができる。
【００２５】
なお、一次コイルＬ１及び二次コイルＬ２を前扉１３０のヒンジＨの側に設けることにより、ホール係員が前扉１３０を開けて作業中にコイルが邪魔にならない、ガタなどにより前扉１３０に隙間が生じたときでも一次コイルＬ１と二次コイルＬ２の間隔は十分小さくて電力伝送の効率が悪くならない、という作用効果を奏する。
【００２６】
発明の実施の形態２．
前扉への無接点電力伝送機構に不正行為検出機能を持たせるようにしてもよい。前扉を少し開けて隙間から棒などを差し込み、内部スイッチ類を操作するような不正行為が多い。そこで、前扉を少し開けたときに無接点電力伝送機構を利用して前扉の照明装置をちかちか点滅させるようにする。
【００２７】
図６に発明の実施の形態２に係る遊技機の斜視図を示す。図６において、図３と同一相当の部分には同一符号を付してある。図６の遊技機は、一次コイルＬ１及び二次コイルＬ２を前扉の回転中心と反対側に設け、図７に示すように前扉１３０を閉じた状態で一次コイルＬ１と二次コイルＬ２が互いに近接するように配置されている。
【００２８】
図６及び図７のように一次コイルＬ１及び二次コイルＬ２を配置すると、前扉１３０を少し開けただけでも一次コイルＬ１と二次コイルＬ２の間隔が開き、当該コイルによる無接点電力伝送機構の効率が低下する。負荷１０に供給される電圧は低下し、その結果、蛍光管などの照明装置が点滅したり、暗くなったりする。その状態は遊技機の外側から容易に判別できるので、ホールの係員が異常に気づいて不正行為を止めさせることができる。このように、一次コイルＬ１と二次コイルＬ２を前扉１３０のヒンジＨと反対側に設けることで無接点電力伝送機構に不正行為検出機能を併せ持たせることができる。なお、前扉１３０のロックが不完全な場合も同様の状態になるので、ロック不完全のアラームにもなる。
【００２９】
上記不正行為検出機能の感度を高めるために次のようにしてもよい。
（１）一次コイルＬ１と二次コイルＬ２の向きを調整する（傾ける）
無接点電力伝送機構の効率が最も良いのは図７に示すように一次コイルＬ１と二次コイルＬ２が平行の場合である。この場合、前扉１３０を少し開けただけでは効率がそれほど低下せず、照明装置の点滅が起きない場合も考えられる。そこで、図８に示すように、一次コイルＬ１と二次コイルＬ２を、上面から見てハの字状に配置することで、あえて無接点電力伝送機構の効率を落とし、前扉１３０を少し開けたときでも照明装置の点滅が起きるようにするとよい。好ましくは、一次コイルＬ１と二次コイルＬ２の向きを傾けて、前扉１３０を閉じた状態で照明装置の点滅が起きる直前の効率とし、前扉１３０が少し開いただけで照明装置の点滅が起きるようにする。なお、図８のコイルの上下を逆にした「逆ハの字状」に配置してもよい。
【００３０】
（２）前扉の動きに伴い一次コイル又は二次コイルの向きを変える機構を備える
前扉１３０を閉じた状態で、一次コイル及び二次コイルを図７のような配置とするが、前扉１３０が開くと一次コイル又は二次コイルの向きを大きく変えることにより伝送効率を低下させ、前扉１３０が少し開いただけで照明装置の点滅が起きるようにする。その機構の例を図９と図１０、及び、図１１〜図１３に示す。これらは二次コイルの向きを変えるものであるが、一次コイルの場合も同様である。
【００３１】
図９及び図１０において、２０はアームである。アーム２０の一端に二次コイルＬ２が取り付けられている。アーム２０の途中には支点２１が設けられ、ここを中心に回動するようになっている。アーム２０の他端にはバネ２２が取り付けられている。バネ２２の他端は筐体１２０に固定されている。前扉１３０を閉じた状態では、図９に示すように一次コイルＬ１と二次コイルＬ２は互いに対向している。前扉１３０を少し開けるとバネ２２がアーム２０の他端を引っ張るのでアーム２０が支点２１を中心に回転し、その結果、図１０に示すように二次コイルＬ２の向きが変わる。
【００３２】
図１１〜図１３において、３１は回転軸である。二次コイルＬ２は回転軸３１を中心に回動自在に構成されている。３２は筐体に固定された部材である。３３は二次コイルＬ２の回転を止めるストッパーである。前扉１３０を閉じた状態で回転軸３１は部材３２に接触している。前扉１３０を少し開けると回転軸３１が部材３２の側面を転がり、図１２及び図１３の矢印の方向へ二次コイルＬ２が回転する。前扉１３０を閉じるときは二次コイルＬ２が逆方向へ回転するが、ストッパー３３により図１１の状態で止まる。
【００３３】
発明の実施の形態３．
無接点電力伝送機構を利用して、隙間から差し込まれた棒や針金等の異物を検出するようにしてもよい。図１４に発明の実施の形態３に係る回路を示す。同図において、４０は一次コイルＬ１のインピーダンスを監視して前記インピーダンスの変化に応じてエラー信号を出力する検知器である。
【００３４】
検知器４０の具体例として、一次コイルＬ１とこれに並列に設けられたコンデンサＣによる共振回路の周波数を検出するものがある。通常の状態では一次コイルＬ１のインピーダンス（インダクタンス）は安定しているが、棒や針金等の異物が一次コイルＬ１に差し込まれるとインピーダンスが変化し、その結果、共振周波数も変化する。これを検知器４０が検出し、予め定められた閾値よりも大きな変化を検出したときエラー信号を出力する。当該エラー信号をホールコンピュータに送ったり、遊技機のＣＰＵに送り遊技を停止させたり、警報音や発光点滅で異常を報知する。
【００３５】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００３６】
【図１】前扉を閉めた状態を示すスロットマシンの正面図である。
【図２】前扉を１８０度開いた状態を示すスロットマシンの正面図である。
【図３】発明の実施の形態１に係るスロットマシンの斜視図である。
【図４】発明の実施の形態１に係る無接点電力伝送回路である。
【図５】発明の実施の形態１に係る一次コイルと二次コイルの配置例である。
【図６】発明の実施の形態２に係るスロットマシンの斜視図である。
【図７】発明の実施の形態２に係る一次コイルと二次コイルの配置例である。
【図８】発明の実施の形態２に係る一次コイルと二次コイルの他の配置例である。
【図９】発明の実施の形態２に係るコイルの向きを変える機構の説明図である。
【図１０】発明の実施の形態２に係るコイルの向きを変える機構の説明図である。
【図１１】発明の実施の形態２に係るコイルの向きを変える他の機構の説明図である。
【図１２】発明の実施の形態２に係るコイルの向きを変える他の機構の説明図である。
【図１３】発明の実施の形態２に係るコイルの向きを変える他の機構の説明図である。
【図１４】発明の実施の形態３に係る無接点電力伝送回路である。
【符号の説明】
【００３７】
１    メダルセレクタ
１０    負荷（照明装置）
１１    ハーネス
２０    アーム
２１    支点
２２    バネ
３１    回転軸
３２    回転軸に接触する部材
３３    二次コイルの回転ストッパー
４０    検知器
１００    スロットマシン（遊技機）
１２０    スロットマシン本体（筐体）
１２１    ホッパ装置
１２２    ホッパタンク
１３０    前扉（扉）
１３１    ゲーム表示部
１３２    メダル投入口
１３３    リジェクトボタン
１３４    スタートボタン
１３５    払出し口
１３６    導出路
１４０    ストップボタン
Ｌ１    一次コイル
Ｌ２    二次コイル
Ｈ      ヒンジ
ＰＳ    交流電源
【図１】
2006223656.tif 000003
【図２】
2006223656.tif 000004
【図３】
2006223656.tif 000005
【図４】
2006223656.tif 000006
【図５】
2006223656.tif 000007
【図６】
2006223656.tif 000008
【図７】
2006223656.tif 000009
【図８】
2006223656.tif 000010
【図９】
2006223656.tif 000011
【図１０】
2006223656.tif 000012
【図１１】
2006223656.tif 000013
【図１２】
2006223656.tif 000014
【図１３】
2006223656.tif 000015
【図１４】
2006223656.tif 000016